(57)【要約】【課題】意匠性の向上を図った表示部及び当該表示部を用いた表示器を提供する。【解決手段】表示導光体１１において、表示キャラクタ形状を形取った天面１１ａ−１に光拡散処理が施されている。凸部１１ａの側面には、表示キャラクタ形状を形取った天面１１ａ−１に近づくに従って、その凸部１１ａ内側に向かうテーパが付けられている。天面１１ａ−１と対向する下面１１ａ−３に光拡散処理が施されている。【選択図】      図２
2004177484.tif 000002
【特許請求の範囲】
【請求項１】
表示キャラクタ形状を形取った天面を有する凸部が設けられる表示導光体を備えた表示部であって、
前記凸部の天面又は前記凸部の側面に光拡散処理が施されている
ことを特徴とする表示部。
【請求項２】
表示キャラクタ形状を形取った天面を有する凸部が設けられる表示導光体を備えた表示部であって、
前記凸部の側面には、前記天面に近づくに従って、当該凸部内側に向かうテーパが付けられている
ことを特徴とする表示部。
【請求項３】
表示キャラクタ形状を形取った天面を有する凸部が設けられる表示導光体を備えた表示部であって、
前記表示導光体において、前記凸部の天面と対向する下面に光拡散処理が施されている
ことを特徴とする表示部。
【請求項４】
表示キャラクタ形状が立体に形成された凸部が設けられる表示導光体を備えた表示部であって、
凹部が設けられ、
前記凸部は、前記凹部内に設けられている
ことを特徴とする表示部。
【請求項５】
表示キャラクタ形状が立体に形成された凸部が設けられる表示導光体を備えた表示部であって、
前記表示導光体は複数設けられ、
暗色系部材により前記表示導光体同士が連結されている
ことを特徴とする表示部。
【請求項６】
表示キャラクタ形状が立体に形成された凸部が設けられる表示導光体を備えた表示部であって、
前記凸部の少なくとも一部は着色された表示導光体で形成されている
ことを特徴とする表示部。
【請求項７】
請求項１〜６何れか１項記載の表示部と、
該表示部の背面に設けられた光源と
を備えたことを特徴とする表示器。
【発明の詳細な説明】
【０００１】
【発明の属する技術分野】
この発明は、表示部及び表示器に係わり、特に、表示キャラクタの形状が立体的に形成された凸部が設けられた表示導光体を備えた表示部及び当該表示部を用いた表示器に関する。
【０００２】
【従来の技術】
従来より、表示キャラクタの形状が立体的に形成された凸部が設けられた表示導光体を備えた表示部の背面から光を照射して、表示キャラクタを立体的に発光表示する表示器が、デザイン設計上の見地から考えられている。
【０００３】
【発明が解決しようとする課題】
しかしながら、上述した表示器において、表示キャラクタの立体形状は、導光体により形成されている。特に、透明な導光体で表示キャラクタを立体形成した場合、立体形状が視認しにくく、表示キャラクタが立体的に見えずに、意匠性が損なわれてしまうという問題があった。また、従来から表示キャラクタを立体的に発光表示する表示器において、より意匠性を高めた表示を行いたいという要望があった。
【０００４】
そこで、本発明は、上記のような問題点に着目し、意匠性の向上を図った表示部及び当該表示部を用いた表示器を提供することを課題とする。
【０００５】
【課題を解決するための手段】
上記課題を解決するためになされた請求項１記載の発明は、表示キャラクタ形状を形取った天面を有する凸部が設けられる表示導光体を備えた表示部であって、前記凸部の天面又は前記凸部の側面に光拡散処理が施されていることを特徴とする表示部に存する。
【０００６】
請求項１記載の発明によれば、凸部の天面又は凸部の側面に光拡散処理が施されている。従って、凸部の天面及び凸部の側面の何れか一方に光拡散処理を施せば、表示キャラクタ形状を形取った天面部分と、側面との境界がはっきり視認でき、表示キャラクタをより立体的に見せることができる。また、凸部の天面及び凸部の側面の両方に光拡散処理を施せば、凸部全体がより光輝して、表示キャラクタをより立体に見せることができる。
【０００７】
請求項２記載の発明は、表示キャラクタ形状を形取った天面を有する凸部が設けられる表示導光体を備えた表示部であって、前記凸部の側面には、前記天面に近づくに従って、当該凸部内側に向かうテーパが付けられていることを特徴とする表示部に存する。
【０００８】
請求項２記載の発明によれば、凸部の側面には、表示キャラクタ形状を形取った天面に近づくに従って、その凸部内側に向かうテーパが付けられている。従って、天面を真上から見た場合であっても、凸部の側面が視認することができ、表示キャラクタをより立体的に見せることができる。
【０００９】
請求項３記載の発明は、表示キャラクタ形状を形取った天面を有する凸部が設けられる表示導光体を備えた表示部であって、前記表示導光体において、前記凸部の天面と対向する下面に光拡散処理が施されていることを特徴とする表示部に存する。
【００１０】
請求項３記載の発明によれば、表示導光体において、下面に光拡散処理が施されている。従って、光拡散処理が施された下面から入射された光は、その下面で拡散された後、天面全体に向かって均一に入射される。このため、表示キャラクタ形状を形取った天面部分がはっきり光り、表示キャラクタをより立体的に見せることができる。
【００１１】
請求項４記載の発明は、表示キャラクタ形状が立体に形成された凸部が設けられる表示導光体を備えた表示部であって、凹部が設けられ、前記凸部は、前記凹部内に設けられていることを特徴とする表示部に存する。
【００１２】
請求項４記載の発明によれば、表示キャラクタ形状が立体に形成された凸部が、凹部内に設けられている。従って、凹部内に凸部を設けることにより、凸部が形成している表示キャラクタをより立体的に見せることができる。
【００１３】
請求項５記載の発明は、表示キャラクタ形状が立体に形成された凸部が設けられる表示導光体を備えた表示部であって、前記表示導光体は複数設けられ、暗色系部材により前記表示導光体同士が連結されていることを特徴とする表示部に存する。
【００１４】
請求項５記載の発明によれば、表示導光体は複数設けられ、暗色系部材により表示導光体同士が連結されている。従って、複数の表示導光体を互いに連結して、一体に形成しても、所定の表示導光体の背面に入射された光が、暗色系部材によって遮られ、他の表示導光体に入射されることがない。
【００１５】
請求項６記載の発明は、表示キャラクタ形状が立体に形成された凸部が設けられる表示導光体を備えた表示部であって、前記凸部の少なくとも一部は着色された表示導光体で形成されていることを特徴とする表示部に存する。
【００１６】
請求項６記載の発明によれば、凸部の少なくとも一部は着色された表示導光体で形成されている。従って、表示キャラクタが立体的に形成されている導光体に、無色の光が入射されても、導光体を着色した色で光輝させることができる。
【００１７】
請求項７記載の発明は、請求項１〜６何れか１項記載の表示部と、該表示部の背面に設けられた光源とを備えたことを特徴とする表示器に存する。
【００１８】
請求項７記載の発明によれば、意匠性を向上することができる。
【００１９】
【発明の実施の形態】
第１実施形態
以下、本発明の表示部を組み込んだ表示器を、図面に基づいて説明する。図１は、本発明の表示器をディジタルのスピードメータに適用した場合の一実施の形態を示す斜視図である。同図に示すように、表示器は、表示キャラクタとして、表示用のセグメントや、スピード単位（ｋｍ／ｈ）を表す文字形状（図示せず）が立体的に形成された凸部が設けられる表示導光体１１を有する表示部１０を備えている。
【００２０】
上記セグメントを構成する表示導光体１１は、例えば、１６個形成され、表示導光体１１は、１６個のセグメント形状毎に各々別パーツで設けられている。なお、１６個のセグメントは、例えば、数字の“１８８”を表すように配置されている。上記表示部１０の背面には、光源としての１８個のＬＥＤ２０が配されている。１８個のＬＥＤ２０のうち１６個は各々、１６個のセグメントの背面に位置するように、基板３０上に配されている。また、残りの２つは、文字形状の背面に位置するように、基板３０上に配されている。
【００２１】
上記表示部１０とＬＥＤ２０との間には、ＬＥＤ２０からの光を表示部１０に集光するための箱形の集光部４０と、集光部４０から表示部１０に向かって出射された光を拡散する光拡散板５０とが設けられている。また、表示部１０の正面には、セグメント形状や文字形状の外周に沿って切り抜かれた切抜部６１を有する遮蔽板６０と、同様の切抜部７１を有する化粧板７０とが配されている。
【００２２】
上記集光部４０は、光遮断部材から形成されており、各セグメント形状に対向する位置に、背面から正面に貫通する１６個の貫通孔４１ａと、文字形状に対向する位置に、背面から正面に貫通する貫通孔４１ｂが設けられている。そして、貫通孔４１ａ及び４２ｂ内には、それぞれ集光導光体４２が挿入されている。この集光導光体４２は、断面が放物線状の反射面を有している。
【００２３】
また、集光部４０には、ネジ孔を有するフランジ４３が設けられている。このフランジ４３に設けたネジ孔を、基板３０に設けたネジ孔３１と一致させて、ネジで固定すると、集光部４０に設けた集光導光体４２の反射面が形成する放物線の焦点に、ＬＥＤ２０が一個づつ配置され、貫通孔４１ｂの背面に、２つのＬＥＤ２０が配置された状態で、基板３０に集光部４０を固定することができる。
【００２４】
上述した遮断板６０は、集光部４０を覆う蓋状に形成され、光拡散板５０及び表示導光体１０を挟んだ状態で、孔６２を集光部４０に設けた凸部４４に引っかけることにより、集光部４０に固定することができる。
【００２５】
次に、上述した表示部１０の詳細について、図２に基づいて説明する。図２（ａ）は、表示用のセグメント形状が立体的に形成された凸部が設けられた表示導光体１１の正面側から見た斜視図、図２（ｂ）は、表示導光体１１の側面図、図２（ｃ）は、表示導光体１１の背面側から見た斜視図である。
【００２６】
図２に示すように、表示導光体１１に設けられた凸部１１ａは、その天面１１ａ−１がセグメント形状を形取った形状になっている。図２（ａ）に示すように、その天面１１ａ−１に、光拡散処理が施されている。光拡散処理としては、例えば、金型により予め天面にシボを形成する処理、クラック（ひび）を形成する処理、サンドブラスト処理、塗装などが考えられる。
【００２７】
また、図２（ｂ）に示すように、凸部１１ａの側面１１ａ−２には、天面１１ａ−１に近づくに従って、凸部１１ａ内側に向かうテーパが付けられている。なお、テーパの角度θは、５°〜２０°の範囲である。さらに、図２（ｃ）に示すように、凸部１１ａの天面１１ａ−１と対向する下面１１ａ−３にも光拡散処理が施されている。
【００２８】
上述した構成の表示器の動作について、以下説明する。まず、ＬＥＤ２０を点灯させると、ＬＥＤ２０からの光は、点灯したＬＥＤ２０の正面側に配置されている貫通孔４１ａ、４１ｂ内に入射する。貫通孔４１ａ、４１ｂ内に入射された光は、集光導光体４２を透過した後直接、または、集光導光体４２の放物線状の反射面で反射して、光拡散板５０の背面に入射される。上記貫通孔４１ａ、４１ｂは、光遮断部材から形成されているため、貫通孔４１ａ、４１ｂの背面側開口部から入射したＬＥＤ２０からの光は、貫通孔４１ａ、４１ｂ外部には漏れることはない。
【００２９】
光拡散板５０に入射された光は、拡散された後、表示導光体１１に入射される。表示導光体１１に入射された光は、下面１１ａ−３、天面１１ａ−１で拡散された後、正面に出射され、表示導光体１１が光輝する。
【００３０】
上述したように、セグメント形状や、文字形状を形取った天面１１ａ−１に光拡散処理を施すことにより、セグメント形状や、文字形状を形取った天面１１ａ−１部分がはっきり光り、より立体的に見せることができる。また、凸部１１ａの側面１１ａ−２には、セグメント形状や、文字形状を形取った天面１１ａ−１に近づくに従って、その凸部１１ａ内側に向かうテーパが付けられている。従って、天面１１ａ−１を真上から見た場合であっても、凸部１１ａの側面１１ａ−２が視認することができ、より立体的に見せることができる。
【００３１】
さらに、凸部１１ａの天面１１ａ−１と対向する下面１１ａ−３に光拡散処理が施されている。従って、下面１１ａ−３から入射された光は、その下面１１ａ−３で拡散された後、天面１１ａ−１全体に向かって均一に入射される。このため、表示キャラクタ形状であるセグメントを形取った天面１１ａ−１部分がはっきり光り、より立体的に見せることができる。
【００３２】
なお、上述した第１実施形態では、天面１１ａ−１及び側面１１ａ−２のうち、天面１１ａ−１のみに光拡散処理を施していた。しかしながら、例えば、天面１１ａ−１及び側面１１ａ−２のうち、側面１１ａ−２のみに光拡散処理を施しても、天面１１ａ−１と側面１１ａ−２との境界がはっきりと視認でき、より立体的に見せることができるようになる。
【００３３】
また、例えば、天面１１ａ−１及び側面１１ａ−２の両者に光拡散処理を施すことも考えられる。この場合、凸部１１ａ全体がより光輝するため、表示キャラクタをより立体に見せることができる。
【００３４】
第２実施形態
上記第１実施形態では、セグメント形状毎に表示導光体１１を別パーツにしていた。しかしながら、別パーツにすると、部品点数が多くなり、表示器の組付けが煩雑になる。そこで、例えば、図３に示すように、複数の表示導光体１１に設けられた凸部１１ａの背面寄りの側面を、暗色系に着色した暗色系導光体１２によって連結して一体に形成することも考えられる。一体に形成する方法としては、透明な表示導光体１１の形成剤と暗色系に着色した暗色系導光体１２の形成剤との２色形成などが考えられる。
【００３５】
以上のように構成することにより、複数の表示導光体１１を互いに連結して、一体に形成しても、所定の表示導光体１１の背面に入射された光が、暗色系導光体１２よって遮られ、他の表示導光体１１に入射されることがない。このため、所定の表示導光体１１のみを光輝させたい場合に、近くに配置された他の表示導光体１１に光が漏れ、光輝してしまうことを防止することができ、意匠性の向上を図ることができる。
【００３６】
また、第２実施形態によれば、図３に示すように、表示部１０には、凹部１３が設けられており、凹部１３内に凸部１１ａが設けられている。このように、凹部１３内に凸部１１ａを設けることにより、凸部１１ａが形成している表示キャラクタをより立体的に見せることができる。
【００３７】
なお、上記第２実施形態では、第１実施形態と同様に、凸部１１ａの天面１１ａ−１が表示キャラクタを形取った形状となっている。つまり、表示キャラクタとしては、二次元的なキャラクタであった。しかしながら、第２実施形態で述べたように、複数の表示導光体１１を一体に形成すること、凹部１３内に凸部１１ａを形成することは、表示キャラクタが三次元的なキャラクタであり、凸部１１ａ全体が表示キャラクタを形成しているようなものにも適用することができる。
【００３８】
また、上記第１及び第２実施形態では、表示導光体１１の色を透明にしていたが、例えば、着色したものであってもよい。この場合、表示導光体１１に、無色の光が入射されても、表示導光体１１を着色した色で光輝させることができる。
【００３９】
さらに、上述した第１実施形態では、図４（ａ）の凸部１１ａの断面図に示すように、凸部１１ａをプリズム状に形成していたが、例えば、図４（ｂ）に示すように、薄肉状に形成することも考えられる。
【００４０】
【発明の効果】
以上説明したように、請求項１記載の発明によれば、凸部の天面又は凸部の側面の何れか一方に光拡散処理を施せば、表示キャラクタ形状を形取った天面部分と、側面との境界がはっきり視認でき、表示キャラクタをより立体的に見せることができる。また、凸部の天面及び凸部の側面の両方に光拡散処理を施せば、凸部全体がより光輝して、表示キャラクタをより立体に見せることができるので、意匠性の向上を図った表示部を得ることができる。
【００４１】
請求項２記載の発明によれば、天面を真上から見た場合であっても、凸部の側面が視認することができ、表示キャラクタをより立体的に見せることができるので、意匠性の向上を図った表示部を得ることができる。
【００４２】
請求項３記載の発明によれば、光拡散処理が施された下面から入射された光は、その下面で拡散された後、天面全体に向かって均一に入射される。このため、表示キャラクタ形状を形取った天面部分がはっきり光り、表示キャラクタをより立体的に見せることができるので、意匠性の向上を図った表示部を得ることができる。
【００４３】
請求項４記載の発明によれば、凹部内に凸部を設けることにより、凸部が形成している表示キャラクタをより立体的に見せることができるので、意匠性の向上を図った表示部を得ることができる。
【００４４】
請求項５記載の発明によれば、複数の表示導光体を互いに連結して、一体に形成しても、所定の表示導光体の背面に入射された光が、暗色系部材によって遮られ、他の表示導光体に入射されることがないので、意匠性の向上を図った表示部を得ることができる。
【００４５】
請求項６記載の発明によれば、表示キャラクタが立体的に形成されている導光体に、無色の光が入射されても、導光体を着色した色で光輝させることができるので、意匠性の向上を図った表示部を得ることができる。
【００４６】
請求項７記載の発明によれば、意匠性の向上を図った表示器を得ることができる。
【図面の簡単な説明】
【図１】本発明の表示器をディジタルのスピードメータに適用した場合の一実施の形態を示す斜視図である。
【図２】図２（ａ）は、表示用のセグメント形状が立体的に形成された凸部が設けられた表示導光体１１の正面側から見た斜視図、図２（ｂ）は、表示導光体１１の側面図、図２（ｃ）は、表示導光体１１の背面側から見た斜視図である。
【図３】第２実施形態における表示部１０の斜視図である。
【図４】凸部１１ａの断面図である。
【符号の説明】
１０        表示部
１１        表示導光体
１１ａ      凸部
１１ａ−１  天面
１１ａ−２  側面
１１ａ−３  下面
１２        暗色系導光体（暗色系部材）
１３        凹部
【図１】
2004177484.tif 000003
【図２】
2004177484.tif 000004
【図３】
2004177484.tif 000005
【図４】
2004177484.tif 000006